(57)【要約】 【課題】  画面上で指し示めされた位置の位置情報を入力するときに画面の輝度を下げることができる表示システムの輝度調整方法および表示システムを提供する。【解決手段】  表示装置１０のＭＰＵ部１６は、赤外線入力部１２から受け取ったコマンド情報に基づいて、入力ペン２０による操作の開始および終了、描画の開始および終了を判断する。赤外線入力部１２から受け取ったコマンド情報が示すコマンドが描画開始を示す描画コマンドであると、入力ペン２０による描画が開始されたと判断し、画面の輝度を予め定める輝度まで低下させるように表示部１３に指示する。コマンド情報が示すコマンドが描画終了を示す描画コマンドであると、入力ペン２０による描画が終了したと判断し、画面の輝度を予め定める輝度まで低下させる前の輝度に復帰させるように表示部１３に指示する。【選択図】      図１
2009104331.tif 000002
【特許請求の範囲】
【請求項１】
画面上の位置が指し示されたことを検出することによって指し示された位置を示す位置情報を入力する位置情報入力部を含む表示システムの輝度調整方法であって、
位置情報入力部による位置情報の入力が開始されたことを検出する開始検出ステップと、
開始検出ステップで位置情報入力部による位置情報の入力が開始されたことを検出することにより、画面の輝度を予め定める輝度に低下させる輝度低下ステップと、
位置情報入力部による位置情報の入力が終了したことを検出する終了検出ステップと、
終了検出ステップで位置情報入力部による位置情報の入力が終了したことを検出することにより、画面の輝度を輝度低下ステップで予め定める輝度に低下させる前の輝度に復帰させる輝度復帰ステップとを含むことを特徴とする表示システムの輝度調整方法。
【請求項２】
前記画面は、複数の領域に分割され、
前記開始検出ステップで位置情報の入力が開始されたことを検出することにより、位置情報入力部によって入力された位置情報が示す位置が属する領域が、前記複数の領域のうちのいずれの領域であるかを特定する領域特定ステップをさらに含み、
前記輝度低下ステップでは、開始検出ステップで位置情報の入力が開始されたことを検出することにより、領域特定ステップで特定された領域の画面の輝度のみを予め定める輝度に低下させることを特徴とする請求項１に記載の表示システムの輝度調整方法。
【請求項３】
前記位置情報入力部によって入力された位置情報が示す位置が他の領域に移動したことを検出する移動検出ステップと、
移動検出ステップで位置情報入力部によって入力された位置情報が示す位置が他の領域に移動したことを検出することにより、移動後の領域が前記複数の領域のうちのいずれの領域であるかを特定する移動後領域特定ステップと、
移動後領域特定ステップで特定された領域の輝度を低下させるとともに、移動前の領域の輝度を予め定める輝度に低下させる前の輝度に復帰させる移動時輝度調整ステップとをさらに含むことを特徴とする請求項２に記載の表示システムの輝度調整方法。
【請求項４】
前記位置情報入力部は、入力ペンの先端部が画面に接触したことを検知することによって、画面上の位置が指し示されたことを検出し、入力ペンによって指し示された位置を示す位置情報を入力するタッチパネル装置によって構成されることを特徴とする請求項１〜３のいずれか１つに記載の表示システムの輝度調整方法。
【請求項５】
画面上の位置が指し示されたことを検出することによって指し示された位置を示す位置情報を入力する位置情報入力手段と、
位置情報入力手段による位置情報の入力が開始されたことを検出する開始検出手段と、
位置情報入力手段による位置情報の入力が終了したことを検出する終了検出手段と、
画面の輝度を制御する輝度制御手段と、
位置情報の入力が開始されたことを開始検出手段によって検出することにより、輝度制御手段によって画面の輝度を予め定める輝度に低下させ、位置情報の入力が終了したことを終了検出手段によって検出することにより、輝度制御手段によって、画面の輝度を輝度制御手段によって予め定める輝度に低下される前の輝度に復帰させる制御手段とを含むことを特徴とする表示システム。
【発明の詳細な説明】
【技術分野】
【０００１】
本発明は、情報を表示する表示システムの輝度調整方法および表示システムに関し、より詳細には、画面に描画するときに画面の輝度を下げることができる表示システムの輝度調整方法および表示システムに関する。
【背景技術】
【０００２】
液晶ディスプレイおよびＣＲＴ（Cathode Ray Tube）などの表示装置は、本体の操作部あるいはリモートコントロール（以下「リモコン」という）を操作することによって、輝度などを調整することができる。しかし、操作部あるいはリモコンによる調整は、表示装置が設置された環境に合うように調整するためのものであり、一度設定すればほとんど変更する必要はない。
【０００３】
操作部あるいはリモコンによる操作なしで輝度などを調整することができる第１の従来の技術として、陰極線管ディスプレイの表示制御装置がある。この表示制御装置は、陰極線管ディスプレイの表示画面に対座する人間がいること、および表示画面と対座する人間とこの表示画面との距離を検出する検出手段を備える。そして、検出手段からの出力信号によって陰極線管ディスプレイへの電源の供給を制御し、さらにこの出力信号に応じて表示画面の輝度およびコントラストを制御する（たとえば特許文献１参照）。
【０００４】
第２の従来の技術である近視防止テレビ装置は、視聴者が所定距離以内に近接したことを検出するための温度センサあるいは対人レーザなどを用いた対人センサを備える。そして、対人センサによって視聴者が所定距離以内に近接したことを所定時間以上検出した場合に、画像の輝度を低下するとともに表示サイズを縮小し、さらに音量を低下する（たとえば特許文献２参照）。
【０００５】
第３の従来の技術であるモニタ装置は、音波送信／受信素子を備え、音波の送信および操作者の手による反射波を受信することができる。そして、この反射波の受信に基づいて、手を振る回数および画面に対する手の距離を検出する。手を振る回数が基準音波遮断回数より多いと調整モードに入る。調整モードでは、画面に対する手の距離に応じて調整内容を選択し、さらに選択された調整内容を、画面に対する手の距離によって調整する。調整内容は、モニタ装置の音量、輝度、コントラスト、色、画面サイズ、画面位置、画面ひずみ、およびオン・オフタイマである（たとえば特許文献３参照）。
【０００６】
【特許文献１】実開昭６３−３０８８８号公報
【特許文献２】特開平３−１８７６８７号公報
【特許文献３】特開平９−１５４０８５号公報
【発明の開示】
【発明が解決しようとする課題】
【０００７】
表示装置（以下「ディスプレイ」ともいう）には、指あるいはタッチペンなどで画面にタッチすることによって情報を入力することができるタッチパネルが設けられるものがある。小さい会議室に設置される小型タッチパネルディスプレイの場合、タッチ操作を行う操作者から画面までの距離と、画面を見る視聴者から画面までの距離との差は、比較的小さい。したがって、画面の輝度が視聴者に適するように調整されていても、操作者がタッチ操作を行うために画面を見てもまぶしいと感じることはない。
【０００８】
しかしながら、大きな会議室に設置される大型タッチパネルディスプレイの場合、遠くの視聴者に見やすいように輝度を高くして明るくするので、画面の近くにいてタッチ操作を行う操作者には画面の輝度が高く、まぶしく見えてしまう。
【０００９】
図９は、従来の技術による表示システム２の構成を示す図である。表示システム２は、タッチパネル付大型ディスプレイシステムである。表示システム２は、第１および第２の従来の技術と同様に、画面から操作者６０までの距離Ｌを検出する人間センサ１８を表示装置１００に備える。人間センサ１８は、検出した距離Ｌを示す情報をＭＰＵ（Micro   Processing Unit）部１９に送る。
【００１０】
タッチパネル装置３０は、入力ペン２０が画面に触れた位置を検出し、検出した位置を示す位置情報を映像生成装置４０に送信する。映像生成装置４０は、タッチパネル装置３０から受信した位置情報に基づいて、入力ペン２０によって描画が行われている位置に表示するための描画映像情報を生成する。そして、生成した描画映像情報を表示すべき映像情報に合成して、表示装置１００に送信する。表示部１３は、映像入力部１４および画像処理回路部１５を介して映像生成装置４０から受け取る映像情報を、ＭＰＵ部１９から指示される輝度で画面に表示する。ＭＰＵ部１９は、人間センサ１８から知らされた距離Ｌが所定の基準距離未満になると、画面の輝度を予め定める輝度まで低下するように表示部１３に指示する。ＭＰＵ部１９は、人間センサ１８から知らされた距離Ｌが所定の基準距離以上になると、画面の輝度を予め定める輝度まで低下させる前の輝度に復帰するように表示部１３に指示する。
【００１１】
図９に示した表示システム２は、操作者６０が画面に近づいたときに、画面の輝度を低下させることはできるが、操作者が、画面に描画しなくても画面の近くにいる間は、暗い画面のままであり、視聴者にとって画面は見にくい状態のままである。
【００１２】
第１および第２の従来の技術は、視聴者が近づいたときに輝度を低下させることはできるが、常に画面に近い所にいる操作者が画面を操作するときに輝度を低下させることはできない。第３の従来の技術は、輝度を調整するために操作部あるいはリモコンによる操作は不要であるが、手による操作は必要である。
【００１３】
本発明の目的は、画面上で指し示めされた位置の位置情報を入力するときに画面の輝度を下げることができる表示システムの輝度調整方法および表示システムを提供することである。
【課題を解決するための手段】
【００１４】
本発明は、画面上の位置が指し示されたことを検出することによって指し示された位置を示す位置情報を入力する位置情報入力部を含む表示システムの輝度調整方法であって、
位置情報入力部による位置情報の入力が開始されたことを検出する開始検出ステップと、
開始検出ステップで位置情報入力部による位置情報の入力が開始されたことを検出することにより、画面の輝度を予め定める輝度に低下させる輝度低下ステップと、
位置情報入力部による位置情報の入力が終了したことを検出する終了検出ステップと、
終了検出ステップで位置情報入力部による位置情報の入力が終了したことを検出することにより、画面の輝度を輝度低下ステップで予め定める輝度に低下させる前の輝度に復帰させる輝度復帰ステップとを含むことを特徴とする表示システムの輝度調整方法である。
【００１５】
また本発明は、前記画面は、複数の領域に分割され、
前記開始検出ステップで位置情報の入力が開始されたことを検出することにより、位置情報入力部によって入力された位置情報が示す位置が属する領域が、前記複数の領域のうちのいずれの領域であるかを特定する領域特定ステップをさらに含み、
前記輝度低下ステップでは、開始検出ステップで位置情報の入力が開始されたことを検出することにより、領域特定ステップで特定された領域の画面の輝度のみを予め定める輝度に低下させることを特徴とする。
【００１６】
また本発明は、前記位置情報入力部によって入力された位置情報が示す位置が他の領域に移動したことを検出する移動検出ステップと、
移動検出ステップで位置情報入力部によって入力された位置情報が示す位置が他の領域に移動したことを検出することにより、移動後の領域が前記複数の領域のうちのいずれの領域であるかを特定する移動後領域特定ステップと、
移動後領域特定ステップで特定された領域の輝度を低下させるとともに、移動前の領域の輝度を予め定める輝度に低下させる前の輝度に復帰させる移動時輝度調整ステップとをさらに含むことを特徴とする。
【００１７】
また本発明は、前記位置情報入力部は、入力ペンの先端部が画面に接触したことを検知することによって、画面上の位置が指し示されたことを検出し、入力ペンによって指し示された位置を示す位置情報を入力するタッチパネル装置によって構成されることを特徴とする。
【００１８】
また本発明は、画面上の位置が指し示されたことを検出することによって指し示された位置を示す位置情報を入力する位置情報入力手段と、
位置情報入力手段による位置情報の入力が開始されたことを検出する開始検出手段と、
位置情報入力手段による位置情報の入力が終了したことを検出する終了検出手段と、
画面の輝度を制御する輝度制御手段と、
位置情報の入力が開始されたことを開始検出手段によって検出することにより、輝度制御手段によって画面の輝度を予め定める輝度に低下させ、位置情報の入力が終了したことを終了検出手段によって検出することにより、輝度制御手段によって、画面の輝度を輝度制御手段によって予め定める輝度に低下される前の輝度に復帰させる制御手段とを含むことを特徴とする表示システムである。
【発明の効果】
【００１９】
本発明によれば、画面上の位置が指し示されたことを検出することによって指し示された位置を示す位置情報を入力する位置情報入力部を含む表示システムの輝度を調整するにあたって、開始検出ステップで、位置情報入力部による位置情報の入力が開始されたことを検出し、輝度低下ステップで、開始検出ステップで位置情報入力部による位置情報の入力が開始されたことを検出することにより、画面の輝度を予め定める輝度に低下させる。そして、終了検出ステップで、位置情報入力部による位置情報の入力が終了したことを検出し、輝度復帰ステップで、終了検出ステップで位置情報入力部による位置情報の入力が終了したことを検出することにより、画面の輝度を輝度低下ステップで予め定める輝度に低下させる前の輝度に復帰させるので、本発明による輝度調整方法を用いれば、画面上で指し示めされた位置の位置情報を入力するときに画面の輝度を下げることができる。したがって、操作者は、画面に対してタッチ操作を行ってもまぶしく感じることなく画面に描画することができる。
【００２０】
また本発明によれば、位置情報入力手段によって、画面上の位置が指し示されたことを検出することによって指し示された位置を示す位置情報が入力され、開始検出手段によって、位置情報入力手段による位置情報の入力が開始されたことが検出され、終了検出手段によって、位置情報入力手段による位置情報の入力が終了したことが検出され、輝度制御手段によって、画面の輝度が制御される。そして、制御手段によって、位置情報の入力が開始されたことを開始検出手段によって検出することにより、輝度制御手段によって画面の輝度が予め定める輝度に低下され、位置情報の入力が終了したことを終了検出手段によって検出することにより、輝度制御手段によって、画面の輝度が輝度制御手段によって予め定める輝度に低下される前の輝度に復帰されるので、画面上で指し示めされた位置の位置情報を入力するときに画面の輝度を下げることができる。したがって、操作者は、画面に対してタッチ操作を行ってもまぶしく感じることなく画面に描画することができる。
【発明を実施するための最良の形態】
【００２１】
図１は、本発明の実施の一形態である表示システム１の構成を示すブロック図である。本実施の形態の表示システム１では、表示システムの輝度調整方法が実行される。
【００２２】
表示システム１は、タッチパネル付大型ディスプレイシステムである。表示システム１は、表示装置１０と、入力ペン２０と、タッチパネル装置３０と、映像生成装置４０とを含む。映像生成装置４０は、表示装置１０に接続されるとともに、タッチパネル装置３０に接続される。
【００２３】
表示装置１０は、大型ディスプレイであり、たとえば６５Ｖ型の液晶表示装置（Liquid Crystal Display、略称ＬＣＤ）によって実現される。表示装置１０は、操作入力部１１、赤外線入力部１２、表示部１３、映像入力部１４、画像処理回路部１５、およびＭＰＵ（Micro Processing Unit）部１６を含む。
【００２４】
操作入力部１１は、表示装置１０を操作するための情報を入力するキーを有し、電源スイッチも含む。操作入力部１１は、入力された情報をＭＰＵ部１６に送る。
【００２５】
赤外線入力部１２は、入力ペン２０から赤外線によって送信されるコマンド情報を受信し、受信したコマンド情報をＭＰＵ部１６に送る。コマンド情報は、操作を開始することを示す開始コマンド、操作を終了することを示す終了コマンド、描画開始を示す描画コマンド、および描画終了を示す描画コマンドなどのコマンドを表す情報である。
【００２６】
表示部１３は、画像処理回路部１５から受け取る映像情報を、ＭＰＵ部１６から指示される輝度で画面に表示する。映像入力部１４は、映像生成装置４０から送信される映像情報を受信し、受信した映像情報を画像処理回路部１５に送る。画像処理回路部１５は、映像入力部１４から受け取った映像情報に対して、表示部１３に表示させるための変換を行い、変換後の映像情報を表示部１３に送る。
【００２７】
ＭＰＵ部１６は、制御手段である。ＭＰＵ部１６は、マイクロコンピュータおよび記憶部によって構成され、マイクロコンピュータは、半導体メモリなどで構成される記憶部に記憶されるプログラムを実行することによって、操作入力部１１、赤外線入力部１２、表示部１３、および画像処理回路部１５を制御する。ＭＰＵ部１６は、赤外線入力部１２から受け取ったコマンド情報に基づいて、入力ペン２０による操作の開始および終了、描画の開始および終了、ならびに描画中であるか否かを判断する。
【００２８】
ＭＰＵ部１６は、赤外線入力部１２から受け取ったコマンド情報が示すコマンドが描画開始を示す描画コマンドであると、入力ペン２０による描画が開始されたと判断し、画面の輝度を予め定める輝度まで低下させるように表示部１３に指示する。ＭＰＵ部１６は、赤外線入力部１２から受け取ったコマンド情報が示すコマンドが描画終了を示す描画コマンドであると、入力ペン２０による描画が終了したと判断し、画面の輝度を予め定める輝度まで低下させる前の輝度に復帰させるように表示部１３に指示する。予め定める輝度は、たとえば操作者が画面で描画するときにまぶしく感ずることのない明るさの輝度であり、予め定める輝度に低下させる前の輝度は、画面から離れている視聴者が見やすい明るさの輝度である。
【００２９】
本実施の形態では、表示装置１０の赤外線入力部１２およびＭＰＵ部１６は、開始検出手段として機能する。また表示装置１０の赤外線入力部１２およびＭＰＵ部１６は、終了検出手段としても機能する。
【００３０】
入力ペン２０は、コマンド情報ならびに線の太さおよび色などを示す属性情報を赤外線によって、表示装置１０およびタッチパネル装置３０に送信する。
【００３１】
タッチパネル装置３０は、位置情報入力手段である。タッチパネル装置３０は、検出方式として、赤外線遮断検出方式が用いられる。タッチパネル装置３０は、赤外線入力部３１、位置検出部３２、通信ドライバ部３３、およびＭＰＵ（Micro Processing Unit）部３４を含む。
【００３２】
赤外線入力部３１は、入力ペン２０から送信されるコマンド情報および属性情報を受信し、受信したコマンド情報および属性情報をＭＰＵ部３４に送る。位置検出部３２は、入力ペン２０が画面に触れた位置を検出し、検出した位置を示す位置情報をＭＰＵ部３４に送る。通信ドライバ部３３は、ＵＳＢ（Universal Serial Bus）などのインターフェースを介して映像生成装置４０に接続される。通信ドライバ部３３は、ＭＰＵ部３４から受け取った情報、つまりコマンド情報、属性情報、および位置情報を、映像生成装置４０に送信する。
【００３３】
ＭＰＵ部３４は、マイクロコンピュータおよび記憶部によって構成され、マイクロコンピュータは、半導体メモリなどで構成される記憶部に記憶されるプログラムを実行することによって、赤外線入力部３１、位置検出部３２、および通信ドライバ部３３を制御する。ＭＰＵ部３４は、赤外線入力部３１から受け取ったコマンド情報および属性情報、ならびに位置検出部３２から受け取った位置情報を通信ドライバ部３３に送る。
【００３４】
映像生成装置４０は、パーソナルコンピュータ（Personal Computer）によって実現される。映像生成装置４０は、表示装置１０に表示するための映像情報を記憶するハードディスク装置などの記憶装置を含む。映像生成装置４０は、タッチパネル装置３０から受信したコマンド情報、属性情報、および位置情報に基づいて、入力ペン２０によって描画が行われている位置に表示するための描画映像情報を生成する。そして、生成した描画映像情報を、記憶装置から読み出した映像情報に合成する。
【００３５】
映像生成装置４０は、ＤＶＩ（Digital Visual Interface）または、アナログＲＧＢ（Red-Green-Blue）などのインターフェースを介して、表示装置１０の映像入力部１４に接続される。映像生成装置４０は、合成した映像情報を、ＤＶＩまたは、アナログＲＧＢなどのインターフェースを介して表示装置１０の映像入力部１４に送信する。
【００３６】
映像生成装置４０は、ＲＳ−２３２Ｃなどのインターフェースを介して、表示装置１０のＭＰＵ部１６に接続される。画面を複数の領域に分割し、領域ごとに輝度を制御する場合は、映像生成装置４０は、タッチパネル装置３０から受信した位置情報を、ＲＳ−２３２Ｃなどのインターフェースを介して、表示装置１０のＭＰＵ部１６に送信する。
【００３７】
図２は、図１に示した表示部１３の概略の構成を示すブロック図である。表示部１３は、画面部１３１および輝度制御回路部１３２を含む。
【００３８】
画面部１３１は、映像を表示する画面であり、図２に示した画面部１３１は、領域Ａ〜領域Ｄの４つの領域に分割されている。画面部１３１は、複数の発光ダイオード（Light Emitting Diode、略称ＬＥＤ）によって構成されるバックライトを含む。
【００３９】
輝度制御回路部１３２は、輝度制御手段である。輝度制御回路部１３２は、バックライトの輝度を制御する電子回路である。輝度制御回路部１３２は、表示装置１０のＭＰＵ部１６からの指示によって、領域Ａ〜領域Ｄの画面の輝度を領域ごとに制御することができる。
【００４０】
図３は、図２に示した表示部１３の概略の回路図である。輝度制御回路部１３２は、４つの電源１３２１ａ〜１３２１ｄを含む。４つの電源１３２１ａ〜１３２１ｄは、それぞれ電圧値の異なる電力を画面部１３１の領域ごとに供給し、供給する電圧値を変化させることができる可変電源である。輝度制御回路部１３２は、４つの電源１３２１ａ〜１３２１ｄを、それぞれＭＰＵ部１６から指示される輝度に対応する電圧値になるように制御する。
【００４１】
４つの電源１３２１ａ〜１３２１ｄから供給される電力は、それぞれ領域Ａに属するバックライト部１３１Ａ〜領域Ｄのバックライト部１３１Ｄに供給される。領域Ａのバックライト部１３１Ａ〜領域Ｄのバックライト部１３１Ｄは、複数のＬＥＤ１３１２を含む。各ＬＥＤ１３１２は、並列接続される。各ＬＥＤ１３１２には、抵抗１３１１がそれぞれ直列接続される。輝度制御回路部１３２から各ＬＥＤ１３１２に供給する電力を制御することによって、各ＬＥＤ１３１２が発光する輝度を制御することができる。
【００４２】
図４は、図２に示した画面部１３１の画面上の位置の座標系を示す図である。画面部１３１の画面上の位置は、画面部１３１の画面の左上を原点（０，０）とするｘｙ座標で表され、画面の右下のｘｙ座標は（１９２０，１０８０）である。
【００４３】
図５は、図２に示した４つの領域の範囲を示す対応情報５０を示す図である。対応情報５０は、４つの領域Ａ〜領域Ｄの範囲を、ｘｙ座標によって示している。領域Ａの範囲は、（０，０）−（９５９，５３９）であり、領域Ｂの範囲は、（９６０，０）−（１９２０，５３９）であり、領域Ｃの範囲は、（０，５４０）−（９５９，１０８０）であり、領域Ｄの範囲は、（９６０，５４０）−（１９２０，１０８０）である。
【００４４】
図６は、図１に示した入力ペン２０の外観を示す図である。入力ペン２０は、操作スイッチ２１、接触部２２、および赤外線送信部２３を含む。図６には示していないが、入力ペン２０は、線の太さおよび色などの属性を指定することを可能にする場合は、それらの属性を入力するための操作ボタンを備えてもよい。
【００４５】
操作スイッチ２１は、描画を行うモードに切り換えるスイッチである。操作スイッチ２１が押下されると、描画モードに切り換わり、操作スイッチ２１はオン状態になる。操作スイッチ２１がオン状態で操作スイッチ２１が再度、押下されると、描画モードは解除され、操作スイッチ２１はオフ状態になる。
【００４６】
接触部２２は、入力ペン２０の先端部に設けられ、表示装置１０の表示部１３の画面に接触する接触部分である。接触部２２は、画面に接触していることを検出する接触スイッチを含む。
【００４７】
赤外線送信部２３は、コマンド情報および属性情報を赤外線で送信する。赤外線送信部２３は、入力ペン２０の軸線まわりに、全方向またはほぼ全方向にわたって赤外線を送信することができるように構成される。
【００４８】
赤外線送信部２３は、操作スイッチ２１が押下されると、開始コマンドを表す開始コマンド情報を送信し、操作スイッチ２１がオン状態で操作スイッチ２１が押下されると、終了コマンドを表す終了コマンド情報を送信する。赤外線送信部２３は、操作スイッチ２１がオン状態で、接触スイッチによって接触部２２が画面に接触したことを検出すると、描画開始を示す描画コマンドを表す描画開始コマンド情報を送信し、接触スイッチによって接触部２２が画面に接触しなくなったことを検出すると、描画終了を示す描画コマンドである描画終了コマンド情報を送信する。
【００４９】
また、タッチパネル装置３０によって画面上の指し示された位置を検出することにより位置情報が入力される。表示装置１０の赤外線入力部１２およびＭＰＵ部１６によって、タッチパネル装置３０による位置情報の入力が開始されたことが検出される。表示装置１０の赤外線入力部１２およびＭＰＵ部１６によって、タッチパネル装置３０による位置情報の入力が終了したことが検出される。輝度制御回路部１３２によって、画面の輝度が制御される。そして、ＭＰＵ部１６によって、位置情報の入力が開始されたことを赤外線入力部１２およびＭＰＵ部１６によって検出することにより、輝度制御回路部１３２によって画面の輝度が予め定める輝度に低下され、位置情報の入力が終了したことを赤外線入力部１２およびＭＰＵＴ部１６によって検出することにより、輝度制御回路部１３２によって、画面の輝度が輝度制御回路部１３２によって予め定める輝度に低下される前の輝度に復帰される。これによって、画面上で指し示めされた位置の位置情報を入力するときに画面の輝度を下げることができる。したがって、操作者は、画面に対する操作を行ってもまぶしく感じることなく情報を入力することができる。
【００５０】
図７は、図１に示した表示装置１０のＭＰＵ部１６が実行する第１の輝度調整処理を示すフローチャートである。第１の輝度調整処理は、表示部１３の画面の輝度を画面全体で切り換える処理である。入力ペン２０から送信される開始コマンドを赤外線入力部１２によって受信し、開始コマンドを受信したことがＭＰＵ部１６に知らされると、ステップＡ１に移る。
【００５１】
ステップＡ１では、赤外線入力部１２によって入力ペン２０から赤外線を受信する。ステップＡ２では、受信した赤外線によって指示されたコマンドが終了コマンドであるか否かを判定する。終了コマンドであると、第１の輝度調整処理を終了し、終了コマンドでないと、ステップＡ３に進む。ステップＡ３では、受信した赤外線によって指示されたコマンドが描画コマンドであるか否かを判定する。描画コマンドであると、ステップＡ４に進み、描画コマンドでないと、ステップＡ６に進む。
【００５２】
ステップＡ４では、描画コマンドが描画開始の描画コマンドであるか否かを判定する。描画開始の描画コマンドであると、ステップＡ５に進み、描画開始の描画コマンドでないと、ステップＡ７に進む。ステップＡ５では、バックライトの輝度を予め定める輝度に低下するように表示部１３に指示し、バックライトの輝度を下げさせて、ステップＡ１に戻る。
【００５３】
ステップＡ６では、受信した赤外線によって指示された他のコマンド、すなわち終了コマンドおよび描画コマンド以外の指示されたコマンドを実行して、ステップＡ１に戻る。ステップＡ７では、描画コマンドが描画終了の描画コマンドであるか否かを判定する。描画終了の描画コマンドであると、ステップＡ８に進み、描画終了の描画コマンドでないと、ステップＡ１に戻る。ステップＡ８では、バックライトの輝度を復帰するように表示部１３に指示し、バックライトの輝度を予め定める輝度に下げる前の輝度に戻させて、ステップＡ１に戻る。
【００５４】
図７に示した第１の輝度調整処理のフローチャートにおいて、開始検出ステップは、ステップＡ４であり、輝度低下ステップは、ステップＡ５であり、終了検出ステップは、ステップＡ７であり、輝度復帰ステップは、ステップＡ８である。
【００５５】
このように、図７に示した第１の輝度調整処理のフローチャートにおいて、画面上の位置が指し示されたことを検出することによって指し示された位置を示す位置情報を入力するタッチパネル装置３０を含む表示システム１の輝度を調整するにあたって、ステップＡ４で、タッチパネル装置３０による位置情報の入力が開始されたことを検出し、ステップＡ５で、ステップＡ４でタッチパネル装置３０による位置情報の入力が開始されたことを検出することにより、画面の輝度を予め定める輝度に低下させる。そして、ステップＡ７で、タッチパネル装置３０による位置情報の入力が終了したことを検出し、ステップＡ８で、ステップＡ７でタッチパネル装置３０による位置情報の入力が終了したことを検出することにより、画面の輝度をステップＡ５で予め定める輝度に低下させる前の輝度に復帰させる。これによって、画面上で指し示めされた位置の位置情報を入力するときに画面の輝度を下げることができる。したがって、操作者は、画面に対してタッチ操作を行ってもまぶしく感じることなく情報を入力することができる。
【００５６】
図８は、図１に示した表示装置１０のＭＰＵ部１６が実行する第２の輝度調整処理を示すフローチャートである。第２の輝度調整処理は、表示部１３の領域ごとに画面の輝度を切り換える処理である。入力ペン２０から送信される開始コマンドを赤外線入力部１２によって受信し、開始コマンドを受信したことがＭＰＵ部１６に知らされると、ステップＢ１に移る。
【００５７】
ステップＢ１では、赤外線入力部１２によって入力ペン２０から赤外線を受信する。ステップＢ２では、受信した赤外線によって指示されたコマンドが終了コマンドであるか否かを判定する。終了コマンドであると、第２の輝度調整処理を終了し、終了コマンドでないと、ステップＢ３に進む。ステップＢ３では、受信した赤外線によって指示されたコマンドが描画コマンドであるか否かを判定する。描画コマンドであると、ステップＢ４に進み、描画コマンドでないと、ステップＢ１１に進む。
【００５８】
ステップＢ４では、描画コマンドが描画開始の描画コマンドであるか否かを判定する。描画開始の描画コマンドであると、ステップＢ５に進み、描画開始の描画コマンドでないと、ステップＢ９に進む。ステップＢ５では、入力位置を取得する。すなわち、タッチパネル装置３０が検出した位置の位置情報を、映像生成装置４０を介して取得する。ステップＢ６では、入力ブロックを特定する。すなわち、取得した位置情報が示す位置が属するブロックつまり領域が、図５に示した対応情報５０に示されるどの範囲の領域かを特定する。ステップＢ７では、特定したブロック位置を記憶する。すなわち、特定した領域を示す情報をＭＰＵ部１６の記憶部に記憶する。ステップＢ８では、特定ブロックつまり特定した領域の輝度を予め定める輝度に低下させるように表示部１３に指示し、特定した領域の輝度を下げさせて、ステップＢ１に戻る。
【００５９】
ステップＢ９では、描画コマンドが描画終了の描画コマンドであるか否かを判定する。描画終了の描画コマンドであると、ステップＢ１０に進み、描画終了の描画コマンドでないと、ステップＢ１に戻る。ステップＢ１０では、表示部１３にバックライトの輝度を戻すように指示し、バックライトの輝度を、予め定める輝度に下げる前の輝度に戻させて、ステップＢ１に戻る。
【００６０】
ステップＢ１１では、描画中であるか否かを判定する。描画開始の描画コマンドを受けてから描画終了の描画コマンドを受けるまでの間は、描画中と判定する。描画中であると、ステップＢ１２に進み、描画中でないと、ステップＢ１７に進む。ステップＢ１２では、入力位置を取得する。すなわち、タッチパネル装置３０が検出した位置の位置情報を、映像生成装置ＰＣ４０を介して取得する。ステップＢ１３では、入力ブロックを特定する。すなわち、取得した位置情報が示す位置が属する領域が、図５に示した対応情報５０に示されるどの範囲の領域かを特定する。
【００６１】
ステップＢ１４では、ブロックが移動したか否かを判定する。特定した領域がＭＰＵ部１６の記憶部に記憶した領域と異なっていると、ブロックが移動したと判定し、特定した領域を示す情報をＭＰＵ部１６の記憶部に記憶更新して、ステップＢ１５に進む。特定した領域がＭＰＵ部１６の記憶部に記憶した領域と同じであると、ブロックが移動していないと判定し、ステップＢ１に戻る。ステップＢ１５では、移動前の領域の輝度を、予め定める輝度に下げる前の輝度に戻す。ステップＢ１６では、移動後の領域の輝度を予め定める輝度に低下させるように表示部１３に指示し、移動後の領域の輝度を下げさせて、ステップＢ１に戻る。ステップＢ１７では、受信した赤外線によって指示された他のコマンド、すなわち終了コマンド、描画コマンド、および描画中コマンド以外の指示されたコマンドを実行して、ステップＢ１に戻る。
【００６２】
図８に示した第２の輝度調整処理のフローチャートにおいて、開始検出ステップは、ステップＢ４であり、輝度低下ステップは、ステップＢ８であり、終了検出ステップは、ステップＢ９であり、輝度復帰ステップは、ステップＢ１０であり、領域特定ステップは、ステップＢ５〜ステップＢ７であり、移動検出ステップは、ステップＢ１４であり、移動後領域特定ステップは、ステップＢ１２およびステップＢ１３であり、移動時輝度調整ステップは、ステップＢ１５およびステップＢ１６である。
【００６３】
このように、図８に示した第２の輝度調整処理のフローチャートにおいて、前記画面は、複数の領域に分割され、ステップＢ５〜ステップＢ７で、ステップＢ４で位置情報の入力が開始されたことを検出することにより、タッチパネル装置３０によって入力された位置情報が示す位置が属する領域が、前記複数の領域のうちのいずれの領域であるかを特定する。そして、ステップＢ８では、ステップＢ４で位置情報の入力が開始されたことを検出することにより、ステップＢ５〜ステップＢ７で特定された領域の画面の輝度のみを予め定める輝度に低下させるので、操作者が指し示めす位置の領域の画面の輝度のみを下げることができる。したがって、操作者が指し示めす位置の領域以外の領域の画面の輝度を視聴者が見やすい輝度に維持することができる。
【００６４】
さらに、ステップＢ１４で、タッチパネル装置３０によって入力された位置情報が示す位置が他の領域に移動したことを検出し、ステップＢ１２およびステップＢ１３で、ステップＢ１４でタッチパネル装置３０によって入力された位置情報が示す位置が他の領域に移動したことを検出することにより、移動後の領域が前記複数の領域のうちのいずれの領域であるかを特定する。そして、ステップＢ１５およびステップＢ１６で、ステップＢ１２およびステップＢ１３で特定された領域の輝度を低下させるとともに、移動前の領域の輝度を予め定める輝度に低下させる前の輝度に復帰させるので、操作者が指し示めす位置が領域を移動しても、移動後の領域の輝度のみを低下させることができる。したがって、操作者が指し示めす位置が領域を移動しても、操作者が指し示めす位置の領域以外の領域の画面の輝度を視聴者が見やすい輝度に維持することができる。
【００６５】
さらに、タッチパネル装置３０は、入力ペン２０の先端部が画面に接触したことを検知することによって、画面上の位置が指し示されたことを検出し、指し示された位置を示す位置情報を入力するので、操作者は入力ペン２０を用いて画面に描画することができる。
【００６６】
前述の実施の形態は、本発明の例示に過ぎず、本発明の範囲内において構成を変更することができる。たとえば表示装置は、たとえばＣＲＴ（Cathode Ray Tube）によって実現されてもよく、あるいは、プラズマディスプレイによって実現されてもよい。さらに表示装置は、ＬＥＤまたはＥＬ（Electro-Luminescence）を用いた表示装置によって実現されてもよい。
【図面の簡単な説明】
【００６７】
【図１】本発明の実施の一形態である表示システム１の構成を示すブロック図である。
【図２】図１に示した表示部１３の概略の構成を示すブロック図である。
【図３】図２に示した表示部１３の概略の回路図である。
【図４】図２に示した画面部１３１の画面上の位置の座標系を示す図である。
【図５】図２に示した４つの領域の範囲を示す対応情報５０を示す図である。
【図６】図１に示した入力ペン２０の外観を示す図である。
【図７】図１に示した表示装置１０のＭＰＵ部１６が実行する第１の輝度調整処理を示すフローチャートである。
【図８】図１に示した表示装置１０のＭＰＵ部１６が実行する第２の輝度調整処理を示すフローチャートである。
【図９】従来の技術による表示システム２の構成を示す図である。
【符号の説明】
【００６８】
１  表示システム
１０  表示装置
１２  表示装置１０の赤外線入力部
１３  表示部
１４  映像入力部
１５  画像処理回路部
１６  表示装置１０のＭＰＵ部
２０  入力ペン
３０  タッチパネル装置
３１  タッチパネル装置３０の赤外線入力部
３２  位置検出部
３３  通信ドライバ部
３４  タッチパネル装置３０のＭＰＵ部
４０  映像生成装置
１３１  画面部
１３２  輝度制御回路部
【図１】
2009104331.tif 000003
【図２】
2009104331.tif 000004
【図３】
2009104331.tif 000005
【図４】
2009104331.tif 000006
【図５】
2009104331.tif 000007
【図６】
2009104331.tif 000008
【図７】
2009104331.tif 000009
【図８】
2009104331.tif 000010
【図９】
2009104331.tif 000011